(57)【要約】      （修正有）【課題】制御情報のオーバーヘッドを減少させるため、マルチチャネル通信をサポートするワイヤレス通信ネットワークの通信方法を提供する。【解決手段】ワイヤレスネットワークは、複数のノードを含み、複数のノードは、制御チャネル及び複数のデータチャネルを介して相互に通信を行い、通信方法は、複数のノードの中のソースノードが、制御チャネルを介して複数のノードの中の宛先ノードにデータを送信するために用いられるデータチャネルを予約する段階Ｓ１０１と、ソースノード及び宛先ノードが、予約されたデータチャネルにスイッチする段階Ｓ１０２と、ソースノードが、予約されたデータチャネルを介して前記データを前記宛先ノードに送信する段階Ｓ１０３と、データが宛先ノードに完全に送信された後に、宛先ノードが、予約されたデータチャネルを介してソースノードにデータ送信成功応答信号を送信する段階とを有する。【選択図】図１
2012095273.tif 000002
【特許請求の範囲】
【請求項１】
ワイヤレス通信ネットワークで用いられる通信方法であって、前記ワイヤレス通信ネットワークは、複数のノードを含み、前記複数のノードは、制御チャネル及び複数のデータチャネルを介して相互に通信を行い、当該通信方法は、
複数のノードの中のソースノードが、前記制御チャネルを介して前記複数のノードの中の宛先ノードにデータを送信するために用いられるデータチャネルを予約する段階と；
前記ソースノード及び前記宛先ノードが、前記予約されたデータチャネルにスイッチする段階と；
前記ソースノードが、前記予約されたデータチャネルを介して前記データを前記宛先ノードに送信する段階と；
前記データが前記宛先ノードに完全に送信された後に、前記宛先ノードが、前記予約されたデータチャネルを介して前記ソースノードにデータ送信成功応答信号を送信し、その後、前記宛先ノード及び前記ソースノードの両者が、前記制御チャネルにスイッチする段階と；
を有する通信方法。
【請求項２】
前記予約する段階は、
前記ソースノードが、前記ソースノードの利用可能なデータチャネルを示すための第１の指示情報及び宛先ノードを示す情報を含む送信要求信号を前記宛先ノードに送る段階と；
前記宛先ノードが、送信要求信号を受信し、前記第１の指示情報及び前記宛先ノードに保持された前記宛先ノードが利用可能なデータチャネルに関連する情報に基づき、前記予約されたデータチャネルを決定し、かつ、前記予約されたデータチャネル及び前記ソースノードを示す情報のための第２の指示情報を含む送信可信号を前記ソースノードに送る段階と；
を含む請求項１記載の通信方法。
【請求項３】
前記スイッチする段階は、前記宛先ノードが、送信可信号を送信した後で、予め定められたガード期間の間に、前記予約されたデータチャネルにスイッチし、かつ、前記ソースノードが、前記送信可信号を受信した後で、予め定められたガード期間の間に、前記予約されたデータチャネルにスイッチする段階；を有する請求項２記載の通信方法。
【請求項４】
前記第１の指示情報は、
前記利用可能なデータチャネルの優先度順の識別；又は
前記利用可能なデータチャネル及びそれぞれの優先度インデックス値の識別；
を含む請求項２記載の通信方法。
【請求項５】
前記宛先ノードの前記利用可能なデータチャネルに関する情報は、
前記宛先ノードの前記利用可能なデータチャネルの識別及びそれぞれの優先度インデックス値、
を含む、請求項２記載の通信方法。
【請求項６】
前記宛先ノードのデータチャネル品質及び前記宛先ノードの近隣ノードのデータチャネル品質に基づき、前記宛先ノードの利用可能なデータチャネルに関する前記情報をアップデートする段階、
を更に有する、請求項２記載の通信方法。
【請求項７】
前記予約する段階は、
前記ソースノードが、前記ソースノードの予約されたデータチャネルを示す情報及び前記宛先ノードを示す情報を含む、宛先ノードに対するプリアンブルキューを、前記制御チャネルを介して送信する段階、
を有する、請求項１記載の通信方法。
【請求項８】
前記スイッチする段階は、
前記ソースノードが、前記プリアンブルキューを送信した後の、予め定められたガード期間の間に前記制御チャネルから前記予約されたデータチャネルにスイッチする段階と、前記宛先ノードが、前記プリアンブルキューを受信した後に、予め定められたガード期間の間に前記制御チャネルから前記予約されたデータチャネルにスイッチする段階と、
を有する、請求項７記載の通信方法。
【請求項９】
ワイヤレス通信ネットワークに用いられるノードであって、前記ワイヤレス通信ネットワークは、複数のピアノードを含み、前記複数のピアノードは、制御チャネル及び複数のデータチャネルを介して通信し、
当該ノードは、
データを送信するために用いられるデータチャネルを、前記制御チャネルを介して予約するための予約ユニットと；
前記予約されたデータチャネルにスイッチするためのスイッチングユニットと；
前記予約されたデータチャネルを介してデータを送信するための送信ユニットと；
現在のノードが宛先ノードとして動作している場合、前記データが完全に送信された後にデータ送信成功応答信号を送信するための送信応答ユニットと；
を有し、
前記スイッチングユニットは、前記現在のノードが宛先ノードとして機能している場合、前記送信応答ユニットが前記データ送信成功応答信号を送信した後に、前記制御チャネルにスイッチし、前記現在のノードがソースノードとして動作している場合、宛先ノードの送信応答ユニットから前記データ送信成功応答信号を受信した後に、前記制御チャネルにスイッチする、
ノード。
【発明の詳細な説明】
【技術分野】
【０００１】
本発明は、ワイヤレス通信技術に関する。より詳細には、ワイヤレス通信ネットワークに用いられる通信方法及びワイヤレス通信ネットワークに用いられるノードに関する。
【背景技術】
【０００２】
マルチチャネル通信は、通信システムのパフォーマンスを飛躍的に向上させることが分かっている。そして、ＩＥＥＥ８０２．１１標準では、利用可能な周波数バンドにおいて、複数の周波数ポイントが分割され、ユーザにより選択されるようになっている。
【０００３】
マルチチャネル通信システムにおいて、チャネルの割当及び予約は、マルチチャネル通信システムのパフォーマンスの向上にとって重要である。
【０００４】
既存のマルチチャネル割当方法においては、チャネルの割当は、ノード間の分散アルゴリズムによって調整される。この方法は、ネットワークのグローバルチャネル利用が考慮され、チャネル利用率が高く、かつチャネルの衝突が少ないと言う点で有利である。しかしながら、大きな制御情報のオーバーヘッドがあり、ロバスト性が欠如している（例えば、あるノードが参加し、あるいは、障害が発生したとき、特にノードが参加したときに、既に設定されたグローバル情報が再度配布される）と言う点で不利な点が存在する。
【０００５】
したがって、制御情報のオーバーヘッドを減少させるため、マルチチャネル通信をサポートするワイヤレス通信ネットワークにおける改良された通信方法が望まれている。
【０００６】
以下において、本発明の一部の側面の基本的理解を提供するために、本発明の概要を説明する。概要は、本発明を全て網羅するものではない点に留意すべきである。発明の主要な部分を説明することを目的とするものではなく、また、発明の技術的範囲を限定することを目的とするものでもない。後に詳細に説明するための概要として、単純化した形で、一部のコンセプトを単純な形で提供するものである。
【発明の概要】
【発明が解決しようとする課題】
【０００７】
ワイヤレス通信ネットワークにおいて用いられる通信方法、及びワイヤレス通信ネットワークで用いられるノードを提供することが、本発明の少なくとも一つの目的である。
【課題を解決するための手段】
【０００８】
これらは、すくなくとも上述の従来技術の不利な点及び欠点の一部を克服し、かつ、制御情報のオーバーヘッドを減少させ、同時にネットワークパフォーマンスを向上させるものである。
【０００９】
上述の目的を達成するために、本発明の一実施形態に基づいて、ワイヤレス通信ネットワークにおいて用いられる通信方法が提供される。前記ワイヤレス通信ネットワークは、複数のピアノードを含む。前記複数のノードが、制御チャネル及び複数のデータチャネルを介して相互に通信を行い、当該通信方法は、複数のノードの中のソースノードが、前記制御チャネルを介して前記複数のノードの中の宛先ノードにデータを送信するために用いられるデータチャネルを予約する段階と；前記ソースノード及び前記宛先ノードが、前記予約されたデータチャネルにスイッチする段階と；前記ソースノードが、前記予約されたデータチャネルを介して前記データを前記宛先ノードに送信する段階と；前記データが前記宛先ノードに完全に送信された後に、前記宛先ノードが、前記予約されたデータチャネルを介して前記ソースノードにデータ送信成功応答信号を送信し、その後、前記宛先ノード及び前記ソースノードの両者が、動作のために、前記予約されたデータチャネルから、前記制御チャネルにスイッチする段階と；を有する。
【００１０】
前記目的を達成するために、本発明の他の実施形態に基づき、ワイヤレス通信ネットワークに用いられるノードが提供される。前記ワイヤレス通信ネットワークは、複数のピアノードを含み、前記複数のピアノードは、制御チャネル及び複数のデータチャネルを介して通信し、当該ノードは、データを送信するために用いられるデータチャネルを、前記制御チャネルを介して予約するための予約ユニットと；前記予約されたデータチャネルにスイッチするためのスイッチングユニットと；前記予約されたデータチャネルを介してデータを送信するための送信ユニットと；現在のノードが宛先ノードとして動作している場合、前記データが完全に送信された後にデータ送信成功応答信号を送信するための送信応答ユニットと；を有し、前記現在のノードが宛先ノードとして機能している場合、前記スイッチングユニットは、前記送信応答ユニットが前記データ送信成功応答信号を送信した後に、前記データチャネルから前記制御チャネルにスイッチし、前記現在のノードがソースノードとして動作している場合、宛先ノードの送信応答ユニットから前記データ送信成功応答信号を受信した後に、前記データチャネルから前記制御チャネルにスイッチする。
【００１１】
本発明の実施形態によれば、全てのピアノードは、データ伝送がない場合には、制御チャネルで動作する。そして、データを送信すべき場合、この制御チャネルを用いて利用すべきデータチャネルを予約し、その予約されたデータチャネルを用いてデータを送信する。そして、データが完全に送信されたときに制御チャネルにスイッチバックする。これによって、マルチチャネルワイヤレス通信システムがサポートされ、制御情報オーバーヘッドを小さくし、システムの拡大及び通信パフォーマンスを確保する。
【００１２】
本発明の上述の利点及びその他の利点は、添付の図面を参照して以下に説明する最良の実施形態の詳細な記載により、更に明らかとなる。
【図面の簡単な説明】
【００１３】
【図１】本発明の第１の実施形態に基づくワイヤレス通信ネットワークに用いられる通信方法を示す図である。
【図２】本発明の第２の実施形態に基づくワイヤレス通信ネットワークに用いられる通信方法を示す図である。
【図３】従来技術におけるＲＴＳ及びＣＴＳのフレームフォーマットを示す図である。
【図４】本発明の実施形態に基づくワイヤレス通信ネットワークに利用される通信方法に用いられる、マルチチャネルベースのＭＲＴＳ／ＭＣＴＳフレームフォーマットを示す図である。
【図５】本発明の実施形態に基づくワイヤレス通信ネットワークに利用される通信方法に用いられる、マルチチャネルベースのＭＲＴＳ／ＭＣＴＳフレーム送信プロセスを示す図である。
【図６】本発明の実施形態に基づくワイヤレス通信ネットワークに用いられる通信方法の制御チャネルとデータチャネルとの間のスイッチングを示す図である。
【図７】本発明の実施形態に基づくワイヤレス通信ネットワークに用いられる通信方法のＭＲＴＳフレームのデータチャネル識別フィールドのフォーマットを示す図である。
【図８】本発明の第３の実施形態に基づくワイヤレス通信ネットワークに用いられる通信方法を示す図である。
【図９】本発明の第３の実施形態に基づくワイヤレス通信ネットワークに用いられる通信方法の制御チャネルとデータチャネルとの間のスイッチングを示す図である。
【図１０】本発明の第３の実施形態に基づくワイヤレス通信ネットワークに用いられる通信方法の制御チャネルとデータチャネルとの間のスイッチングを示す別の図である。
【図１１】プリアンブルキューを示す図である。
【図１２】本発明の第４の実施形態に基づくワイヤレス通信ネットワークに用いられるノードを示す図である。
【図１３】本発明の第５の実施形態に基づくワイヤレス通信ネットワークに用いられるノードを示す図である。
【発明を実施するための形態】
【００１４】
本発明は、添付の図面を参照しながら説明する以下の説明によって理解できる。図面では、同じ又は同様の部分を参照するために、同じ又は同様の参照番号が用いられている。以下の詳細な説明及び全ての図面は、明細書に含まれ、明細書の一部を形成する。そして、これらは、適切な実施形態を示すために用いられ、そして本発明の原理及び有利な点を説明するものである。
【００１５】
当業者は、添付の図面の要素が単純化及び明確化のために示されており、スケールに忠実に描かれていないことを理解すべきである。例えば、本発明の実施形態を理解することを容易にするため、図のある部分は、他の要素と比較してサイズが拡大されている場合がある。
【００１６】
添付の図面を参照しながら、本発明の実施形態を詳細に以下に説明する。明確化及び単純化のため、明細書には、実際の実施形態の全ての特徴を記載しているわけではない。しかしながら、実施を行う者の特定の目的を達成するために、実際の実施形態を作る過程において、実施形態に関する多くの決定がなされ得る。例えば、異なる実施形態で変更され得る、システムやビジネスに関連する制約への適合が挙げられる。これらは、異なる実施形態に応じて変化し得る。更に、実施のための作業は複雑であり、かつ時間のかかるものであるが、本発明の開示から利益を得ている当業者に対しては、この実施のための作業は、単なる通常の作業であると認識されるべきである。
【００１７】
詳細な説明及び添付の図面において、不必要に詳細に記載することにより、本発明が不明確になるのを避けるため、本発明に係る方式に密接に関連するデバイスの構成、及び／又は、方法の段階のみが記載されている点に留意すべきである。そして、当業者が既に知っている部分及び処理の記載は、本発明とは関係が薄いため、省略されている点に留意すべきである。
【実施例】
【００１８】
図１は、第１の実施形態に基づくワイヤレス通信ネットワークに用いられる通信方法を示している。ワイヤレス通信ネットワークは、複数のピアノードを有する。この複数のピアノードは、制御チャネル及び複数のデータチャネルを介して、相互に通信する。
【００１９】
図１に示すように、本発明の第１の実施形態に基づくワイヤレス通信ネットワークに用いられる通信方法は、段階Ｓ１０１から開始される。
【００２０】
段階Ｓ１０１で、複数ノードのうちのソースノードが、複数のノードのうちの宛先ノードにデータを送信するために用いられるデータチャネルを、制御チャネルを介して予約する。
【００２１】
段階Ｓ１０２において、ソースノード及び宛先ノードが、その予約されたデータチャネルにスイッチする。
【００２２】
段階Ｓ１０３において、ソースノードが、予約されたデータチャネルを介して、データを宛先ノードに送信する。
【００２３】
段階Ｓ１０４において、ソースノードと宛先ノードとの間のデータ送信が完了した後に、宛先ノードは、予約されたデータチャネルを介して、データ送信成功応答信号をソースノードに送信し、その後宛先ノードとソースノードとの両者は、動作のために、予約されたデータチャネルから制御チャネルにスイッチする。
【００２４】
以上のことから、本発明の実施形態のワイヤレス通信ネットワークに利用される通信方法によって、すべてのピアノードは、データ送信が無い場合には、制御チャネルで動作し、そして、データが送信されるべきときは、制御チャネルを利用して、使用すべきデータチャネルを予約する。この予約されたデータチャネルを使用してデータを送信する。そして、データ送信が完了したときに、動作のために、制御チャネルにスイッチバックする。これによって、マルチチャネルワイヤレス通信システムをサポートし、制御情報のオーバーヘッドを減少させ、これと同時に、システムの拡張性と通信パフォーマンスを確保する。
【００２５】
図１のフローを参照しながら、本発明の実施形態に基づいたワイヤレス通信ネットワークを利用した通信方法について説明したが、更に、当業者は、図１に示すフローは、単なる例示であり、本発明の技術的範囲を限定するものではないことを理解すべきである。当業者は、実際のニーズに即して、図１のフローを変更してもよい。例えば、当業者は、ワイヤレス通信システムのパフォーマンス及び機能の要求に基づき、予約されたデータチャネルの信号のフォーマット及びデータ送信成功応答信号のフォーマットを自由に設定してもよい。
【００２６】
上述の一連のプロセスを実行する段階は、定められた順序で時系列的に実行されてもよい。しかしながら、時間的順序で実行される必要はない。ある段階は、相互に並行して、あるいは独立に実行されてもよい。
【００２７】
図２は、本発明の第２の実施形態に基づくワイヤレス通信ネットワークで用いられる通信方法を示している。ワイヤレス通信ネットワークは、複数のピアノードを有する。複数のピアノードは、制御チャネル及び複数のデータチャネルを介して相互に通信する。
【００２８】
この実施形態は、マルチチャネルワイヤレス通信ネットワークをサポートするために、シングルチャネルをサポートするＲＴＳ／ＣＴＳハンドシェークメカニズムを拡張したものである。まずここで、既存のＲＴＳ／ＣＴＳハンドシェークメカニズムについて簡単に説明する。
【００２９】
ＲＴＳ／ＣＴＳ（Ｒｅｑｕｅｓｔ  Ｔｏ  Ｓｅｎｄ／Ｃｌｅａｒ  Ｔｏ  Ｓｅｎｄ）ハンドシェークメカニズムは、送信要求／送信可のハンドシェークメカニズムであり、主として隠れステーション（Ｈｉｄｄｅｎ  Ｓｔａｔｉｏｎｓ）の問題を解決するためのものである。隠れステーションは、ノードＡがノードＢに信号を送信し、かつ、ノードＡを検知しないノードＣがノードＢに信号を送った場合、ノードＡとノードＣとが同時にノードＢに信号を送ったことになり、信号の衝突を招き、ノードＢに送られたすべての信号を少なくとも失うことになる。この場合、効率をロスすることとなり、エラー回復メカニズムが必要となる。大量のドキュメントを送信しなければならない場合、隠れステーションの現象は、特に排除される必要がある。
【００３０】
ＩＥＥＥ８０２．１１プロトコルは、以下の解決策を提供している。パラメータ構成において、ＲＴＳ／ＣＴＳは、閾値を設定することができる。この閾値よりもデータの長さが長い場合、ＲＴＳ／ＣＴＳハンドシェークプロトコルが開始される。まず、ＡがＲＴＳ信号をＢに送ることによって、Ａが幾つかのデータをＢに送ろうとしていることを示す。ＲＴＳを受信すると、Ｂは、ＣＴＳ信号でＡに応答し、Ｂの準備ができていることを伝える。Ａは、データをＢに送信してもよい。そして、ＣＴＳを受信した他のノードは、ＡとＢとの間の通信が完了するまで、待ち状態（ｒｅｔｒｅａｔ  ｓｔａｔｕｓ）に入る。実際のデータ送信は、両者が成功裏にＲＴＳ／ＣＴＳ信号を交換（すなわちハンドシェークが完了）した後に開始される。このことによって、複数の相互に認識し得ない複数の送信ノードが、同じ受信ノードに信号を送信しても、受信ノードが応答するＣＴＳを受信したノードだけが、信号を送信することができる。これによって、衝突を回避することができる。衝突が発生したとしても、それは、ＲＴＳを送信している間だけである。このような状況において、受信側ノードからのＣＴＳメッセージが受信されないため、多くの送信ノードは、ＤＣＦにより提供されるコンペティションメカニズムを使用する。予め定められた時間の間に基づき、待機し（ｒｅｔｒｅａｔ）、そして、次のＤＩＦＳのための媒体がアイドルとなった後に、成功するまで、ＲＴＳを送信して、競争（ｃｏｍｐｅｔｅ）を行う。
【００３１】
既存のＲＴＳ及びＣＴＳのフレームフォーマットを図３に示す。衝突を避けるために、チャネル予約時間間隔フィールドで定義された時間間隔が、ＣＴＳ信号を受信したノードに対して用いられ、その時間間隔に基づいて待ち（ｒｅｔｒｅａｔ）がなされる。
【００３２】
既存のＲＴＳ／ＣＴＳフレームフォーマットは、シングルチャネルの通信ネットワークのみをサポートし、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）メカニズムにより、チャネル衝突を低減させる。図３に示すフレームフォーマットによれば、既存のＲＴＳ／ＣＴＳ信号は、シングルチャネルの拘束時間のみを予約する。
【００３３】
図２に戻る。図２に示されるように、実施形態に基づくワイヤレス通信ネットワークに用いられる通信方法は、段階Ｓ２０１から開始される。
【００３４】
段階２０１で、複数のノードのうちソースノードは、送信要求信号（ＭＲＴＳ（マルチチャネルＲＴＳ）と呼ぶ）を、宛先ノードに、制御チャネルを介して送信する。この送信要求は、ソースノードの利用可能なデータチャネルを示す第１の指示情報、及び宛先ノードを示す情報を含んでいる。
【００３５】
一つの例において、この第１の指示情報は、優先順の利用可能なデータチャネルの識別、又は、利用可能なデータチャネルの識別及びそれぞれの優先度インデックス値を含んでもよい。
【００３６】
当業者は、上述の第１の指示情報のコンテンツは、単なる例示であると理解すべきである。当業者は、実際のワイヤレス通信ネットワークの適用条件に基づいて、第１の指示情報の中に柔軟にコンテンツを設定でき、これは、本発明の精神及び技術的範囲に属する。例えば、第１の指示情報としては、利用可能なデータチャネルの数だけを含むよう設定してもよい。
【００３７】
そして、段階Ｓ２０２で、宛先ノードは、送信要求信号を受信し、第１の指示情報及び宛先ノードが保持している宛先ノードの利用可能なデータチャネルの情報に基づいて予約されたデータチャネルを決定し、そして、送信可信号（ＭＣＴＳ（マルチチャネルＣＴＳ）信号と呼ぶ）をソースノードに送信する。この送信可信号は、予約されたデータチャネル及びソースノードを示す情報を示す第２の指示情報を含む。
【００３８】
第１の実施形態において、宛先ノードの利用可能なデータチャネルに関連する情報は、宛先ノードの利用可能なデータチャネルの識別及びそれぞれの優先度インデックス値を含んでもよい。
【００３９】
当業者は、宛先ノードの利用可能なデータチャネルに関する情報に含まれるコンテンツは、単なる例示である点を認識すべきである。当業者は、実際のワイヤレス通信ネットワークによるアプリケーションの要件に基づき、情報のコンテンツを自由に設定してもよい。そして、これらは、本発明の精神および技術的範囲に属する。
【００４０】
例えば、図４は、本発明の実施形態に基づくワイヤレス通信ネットワークに利用される通信方法に用いられる、マルチチャネルベースのＭＲＴＳ／ＭＣＴＳのフレームフォーマットを例示している。
【００４１】
図４に示すように、図３の既存のＲＴＳ／ＣＴＳフォーマットフレームと比較して、この実施形態に用いられているＭＲＴＳ／ＭＣＴＳフレームには、予約されるべきデータチャネルを特定するために、チャネル予約時間フィールドの後にデータチャネル識別フィールドが追加されており、マルチチャネルワイヤレス通信ネットワークをサポートしている。特にＭＲＴＳフレームにおいて、その中のデータチャネル識別フィールドに、ソースノードの利用可能なデータチャネルを示す上述の第１の識別情報が含まれている。そして、その中のフレーム制御フィールドに、上述の宛先ノードを示す情報が含まれている。ＭＣＴＳフレームにおいて、その中のデータチャネル識別フィールドに、予約されたデータチャネルを示す上述の第２の指示情報が含まれている。そして、その中のフレーム制御フィールドに、上述のソースノードを示す情報が含まれている。
【００４２】
当業者は、図４が単に例示的なフレームフォーマットである点を理解すべきである。当業者は、実際のアプリケーションの要件に基づき、ＭＲＴＳ／ＭＣＴＳのフィールドのデータチャネル識別の位置、及び対応するフィールドの長さを自由に設定してもよい。そして、これは本発明の精神及び技術的範囲に属する。
【００４３】
更に、図７は、本発明の実施形態に基づくワイヤレス通信ネットワークに利用される通信方法に用いられるＭＲＴＳのデータチャネル識別フィールドのフォーマットの例示を示している。
【００４４】
図７の左側に示すように、ＣＤ＿ＩＤは、様々な利用可能なデータチャネルの識別を示している。ＣＷＶｌｏｃａｌは、様々な利用可能なデータチャネルに対応する優先度インデックス値を示している。
【００４５】
図７の右側に示すように、データチャネル識別フィールドは、３バイトに設定されている。最初の１．５バイトは、利用可能なデータチャネルの識別を示す。後者の１．５バイトは、利用可能なデータチャネルに対応する優先度インデックス値を示している。図７に示すように、利用可能なデータチャネルの識別は、０−３、そして、対応する優先度インデックス値は、それぞれ、７，２，５，６である。
【００４６】
したがって、ソースノードから送信された、上述のように設定されたＭＲＴＳフレームを受信すると、データチャネル識別フィールドに示された利用可能なデータチャネル及び対応する優先度インデックス値、宛先ノードが保持している宛先ノードの利用可能なデータチャネルに関する情報に基づいて、宛先ノードは、予約されたデータチャネルを決定する。このＭＲＴＳフレームは、予約されたデータチャネル及びソースノードを示す情報を示すための第２の指示情報を含む。
【００４７】
更に、例えば、図５は、本発明の実施形態に基づくワイヤレス通信ネットワークに利用する通信方法に用いられるマルチチャネルベースのＭＲＴＳ／ＭＣＴＳフレームの送信プロセスを示す。
【００４８】
図５に示すように、ソースノードとしてのノード０は、送信要求信号（ＭＲＴＳフレーム）を宛先ノードとしてのノード１に送信する。宛先ノードのノード１は、ＭＲＴＳフレームを受信し、ＭＲＴＳフレームに含まれる第１の指示情報及びノード１が保持するノード１の利用可能なデータチャネルに関する情報に基づいて予約されたデータチャネルを決定し、送信可信号（ＭＣＴＳフレーム）を応答としてノード０に送信する。このＭＲＴＳフレームは、予約されたデータチャネルを示すための第２の情報及びノード０を示すための情報を含む。
【００４９】
さて、図２に戻る。その後、段階Ｓ２０３で、ソースノード及び宛先ノードは、予約されたデータチャネルにスイッチする。
【００５０】
一つの実施形態において、段階Ｓ２０３は、宛先ノードが、送信可信号を送信した後に、予め定められたガード期間内に、予約されたデータチャネルにスイッチする段階、及び、ソースノードが、送信可信号を受信した後に、予め定められたガード期間内に、予約されたデータチャネルにスイッチする段階を含む。
【００５１】
当業者は、上述のスイッチプロセスが単に例示である点を理解すべきである。当業者は、実際のワイヤレス通信ネットワークによるアプリケーションの要件に従って、ソースノードと宛先ノードとの間のスイッチプロセスを自由に設定してもよい。
【００５２】
そして、段階Ｓ２０４において、ソースノードは、予約されたデータチャネルを介して、宛先ノードにデータを送信する。
【００５３】
最後に、段階Ｓ２０５で、ソースノードと宛先ノードとの間のデータ送信が完了した後に、宛先ノードは、予約されたデータチャネルを使用して、データ送信成功応答信号をソースノードに送信し、そして、宛先ノードとソースノードの両者は、動作のために、予約されたデータチャネルから制御チャネルにスイッチする。
【００５４】
図６は、更に本発明の実施形態に基づくワイヤレス通信ネットワークに用いられる通信方法において、制御チャネルとデータチャネルとの間のスイッチングの方式を示す図である。
【００５５】
図６に示すように、ソースノードであるノード０は、データ送信をリクエストするために、ＭＲＴＳフレームを、宛先ノードであるノード１に送信する。宛先ノードであるノード１は、ソースノードであるノード１に、ＭＣＴＳフレームを応答として送信する。そして、ノード１とノード２との両者は、ＭＲＴＳフレーム及びＭＣＴＳフレームによって予約されたデータチャネルにスイッチし、これら二つの間でデータを送信する。その後データ送信が終了したときに、宛先ノードは、データ送信成功応答信号（ＡＣＫ）を、予約されたデータチャネルを利用して、ソースノードに送信する。そして、宛先ノード及びソースノードの両者は、動作のために、予約されたデータチャネルからデフォルトの制御チャネルにスイッチする。
【００５６】
更に、一つの実施形態において、段階Ｓ２０５の後に、以下の段階が含まれてもよい。すなわち、宛先ノードのデータチャネル品質及び宛先ノードの近隣のノードのデータチャネル品質に従って、宛先ノードの利用可能なデータチャネルに関する情報をアップデートする段階、を含んでもよい。
【００５７】
上述の通り、本発明の第２の実施形態に基づくワイヤレス通信ネットワークに用いられる通信方法において、修正されたＭＲＴＳ／ＭＣＴＳフレームに基づき、ソースノードと宛先ノードとの間のデータチャネルの予約によって、既存のプロトコルの単純な修正によってマルチチャネル通信が好適にサポートされる。そして、これによって、少ない制御情報オーバーヘッド及び簡便なオペレーションが確保され、同時に、システムの拡張性及び通信パフォーマンスが確保される。
【００５８】
更に、第２の実施形態に基づくワイヤレス通信ネットワークに用いられる通信方法は、図２及び図４乃至図７の記載を参照して説明したが、当業者は、図２及び図４乃至図７の記載は、単に例示的なものであり、かつ、本発明の技術的範囲を制限するためのものではない点に留意すべきである。当業者は、実際のニーズに即して、図２及び図４乃至図７の記載を修正してもよい。
【００５９】
上述の一連のプロセスを実行する段階は、特定の順番に時系列的に実行されてもよい。しかしながら、時間的順序で実行される必要はない。ある段階は、相互に並行してあるいは独立に実行してもよい。
図８は、本発明の第３の実施形態に基づくワイヤレス通信ネットワークに用いられる通信方法を示している。このワイヤレス通信ネットワークは、制御チャネル及び複数のデータチャネルを介して相互に通信を行う複数のピアノードを含む。
【００６０】
図８に示されるように、本発明の第３の実施形態に基づくワイヤレス通信ネットワークに用いられる通信方法は、段階Ｓ８０１から開始される。
【００６１】
まず、段階Ｓ８０１で、複数のノードのうちのソースノードが、制御チャネルを介して、プリアンブルキューを、複数のノードのうちの宛先ノードに送信する。このプリアンブルキューは、ソースノードによって予約されたデータチャネルを示す情報及び宛先ノードを示す情報を含む。
【００６２】
段階Ｓ８０２で、ソースノード及び宛先ノードは、予約されたデータチャネルにスイッチする。
【００６３】
一つの実施形態において、段階８０２は、ソースノードが、プリアンブルキューを送信した後に、予め定められたガード期間内に、制御ノードから、ソースノードによって予約されたデータチャネルに、スイッチする段階と、宛先ノードが、そのプリアンブルキューを受信した後に、予め定められたガード期間の間に、制御チャネルからデータチャネルにスイッチする段階と、を含んでもよい。
【００６４】
当業者は、上述のスイッチプロセスは単なる例示であると認識すべきである。当業者は、実際のワイヤレス通信ネットワークのアプリケーションの要件に基づいて、ソースノードと宛先ノードとの間のスイッチプロセスを自由に設定してもよい。そして、これは、本発明の精神及び技術的範囲に属する。
【００６５】
その後、段階Ｓ８０３で、ソースノードは、データチャネルを介して、データを宛先ノードに送信する。
【００６６】
最後に、段階Ｓ８０４で、ソースノードと宛先ノードとの間のデータ送信が完了した後に、宛先ノードは、予約されたデータチャネルを介して、データ送信成功応答信号（ＡＣＫ）を送信する。そして、宛先ノード及び制御ノードの両者は、動作のために、予約されたデータチャネルから制御チャネルにスイッチする。
【００６７】
例えば、図９は、本発明の第３の実施形態に基づくワイヤレス通信ネットワークに用いられる通信方法の制御チャネルとデータチャネルとの間のスイッチングを示している。
【００６８】
図９に示すように、ソースノードであるノード０は、宛先ノードであるノード１にプリアンブルキューを送信する。そして、ノード０及びノード１の両者は、両者の間でデータを送信するために、ガード期間の間にプリアンブルキューにより予約されたデータチャネルにスイッチする。その後、データ送信が完了したとき、宛先ノードは、予約されたデータチャネルを使用して、データ送信成功応答信号（ＡＣＫ）をソースノードに送信する。そして、宛先ノード及びソースノードの両者は、動作のために、予約されたデータチャネルから、デフォルトの制御チャネルにスイッチする。
【００６９】
更に、例えば、図１０は、本発明の第３の実施形態に基づくワイヤレス通信ネットワークに用いられる通信方法において、制御チャネルとデータチャネルとの間のスイッチングの他の概要図を示す。
【００７０】
図１０に示されるように、まず、ソースノード及び宛先ノードは、両者とも、制御チャネルで動作している。ソースノードは、制御チャネルを介して、プリアンブルキューを宛先ノードに送る。そして、ソースノード及び宛先ノードの両者は、ガード期間の間に、プリアンブルキューによって予約されたデータチャネルにスイッチする。その後、ガード期間の後に、予約された特定のデータチャネルを介して、ソースノードと宛先ノードとは、両者の間でデータ送信を実行する。
【００７１】
更に、例えば、図１１はプリアンブルキューを示している。
【００７２】
図１１は、従来の技術で用いられるプリアンブルキューのフォーマットを示している。当業者は、実際のワイヤレス通信ネットワークのアプリケーションの要件に従って、プリアンブルキュー内で、予約されたデータチャネルの情報を示すフィールドの位置及び長さを、自由に設定できることを認識すべきである。そして、これは本発明の精神及び技術的範囲に包含される。
【００７３】
上述の通り、第３の実施形態に基づくワイヤレス通信ネットワークに用いられる通信方法で、修正されたプリアンブルキューに基づき、ソースノードと宛先ノードとの間のデータチャネルを予約することによって、既存のプリアンブルキューの簡単な修正でマルチチャネル通信が効果的にサポートされる。これによって、制御情報のオーバーヘッドの減少、及び好適なオペレーションが担保され、同時にシステムの拡張性及び通信パフォーマンスが確保される。
【００７４】
更に、図８乃至図１１を参照しながら第３の実施形態に従ったワイヤレス通信ネットワークに用いられる通信方法を説明したが、当業者は、図８乃至図１１に示す図は、単なる例示であり、かつ、本発明の技術的範囲を制限するためのものではないことを理解すべきである。当業者は、実際のニーズに従って、図８乃至図１１に示す図を修正してもよい。
【００７５】
上述の一連のプロセスを実行する段階は、明記された順序で時系列的に実行してもよいが、必ずしも時間的順序で実行される必要はない。ある段階は、相互に並行して又は独立に実行されてもよい。
【００７６】
本発明の第１乃至第３の実施形態に従ったワイヤレス通信ネットワークに用いられる通信方法は、例えば、図１２及び図１３のワイヤレス通信ネットワークに用いられるノードによってインプリメントされてもよい。
【００７７】
図１２は、本発明の第４の実施形態に基づくワイヤレス通信ネットワークに用いられるノードを示している。ワイヤレス通信ネットワークは、複数のピアノードを含む。この複数のピアノードは、制御チャネル及び複数のデータチャネルを介して相互に通信する。
【００７８】
図１２に示すように、本発明の第４の実施形態に基づくワイヤレス通信ネットワークに用いられるノードは、予約ユニット１２０１，スイッチングユニット１２０２、送信ユニット１２０３、及び送信応答ユニット１２０４を含む。
【００７９】
予約ユニット１２０１は、制御チャネルを介して、データを送信するために用いられるデータチャネルを予約するよう構成されている。
【００８０】
スイッチングユニット１２０２は、予約されたデータチャネルにスイッチするよう構成されている。
【００８１】
送信ユニット１２０３は、予約されたデータチャネルを介してデータを送信するよう構成されている。
【００８２】
送信応答ユニット１２０４は、その現在のノードが宛先ノードとして動作している場合に、データが完全に送信された後に、データ送信に利用されたデータチャネルを介して、データ送信成功応答信号をソースノードに送信するよう構成されている。
【００８３】
ここで、この現在のノードが、宛先ノードとして動作している場合、スイッチングユニット１２０２は、送信応答ユニット１２０４がデータ送信成功確認信号を送信した後に、データチャネルから制御チャネルに、スイッチバックする。そして、この現在のノードがソースノードとして動作している場合、宛先ノードの送信応答ユニット１２０４から送られたデータ送信成功確認信号を受信した後に、データチャネルから制御チャネルにスイッチバックする。
【００８４】
上述のように、第４の実施形態に従ったワイヤレス通信ネットワークに用いられるノードは、データ送信がない場合、制御チャネルで動作し、データが送信される場合に用いられるべきデータチャネルを、制御チャネルを用いて予約する。そして、この予約されたデータチャネルを用いてデータを送信し、データ送信が完了した場合、動作のために、制御チャネルにスイッチバックする。これによって、制御情報のオーバーヘッドを飛躍的に減少させ、同時にマルチデータチャネルのワイヤレス通信システムをサポートする。
【００８５】
図１３は、本発明の第５の実施形態に基づくワイヤレス通信ネットワークに用いられるノードを示している。ワイヤレス通信ネットワークは、複数のピアノードを有する。この複数のピアノードは、制御チャネル及び複数のデータチャネルを介して、相互に通信する。
【００８６】
図１３に示すように、本発明の第５の実施形態に基づくワイヤレス通信ネットワークに用いられるノードは、予約ユニット１３０１、スイッチングユニット１３０２、送信ユニット１３０３、及び送信応答ユニット１３０４を有する。
【００８７】
予約ユニット１３０１は、制御チャネルを介して、データを送信するためのデータチャネルを予約するよう構成されている。
【００８８】
図１３に示すように、予約ユニット１３０１は、現在のノードがソースノードとして動作している場合、宛先ノードに送信要求信号を送信する要求送信部１３０５であって、前記送信要求信号は、ソースノードの利用可能なデータチャネルを示すための第１の指示情報及び前記宛先ノードを示す情報を含む、要求送信部と；前記現在のノードが宛先ノードとして機能している場合、ソースノードの要求送信部から送られた送信要求信号を受信し、前記ソースノードの第１の指示情報及び前記宛先ノードに保持された前記宛先ノードの利用可能なデータチャネルの情報に基づいて、前記予約されたデータチャネルを決定し、かつ、前記ソースノードに送信可信号を送信するための要求受信部１３０６であって、前記送信可信号は、前記予約されたデータチャネルを示すための第２の指示情報及び前記ソースノードを示す情報を含む、要求受信部と；前記現在のノードがソースノードとして機能している場合、宛先ノードの前記要求受信部によって送られた送信可信号を受信するための予約結果受信部１３０７と；を有する。
【００８９】
スイッチングユニット１３０２は、予約されたデータチャネルにスイッチするよう構成されている。
【００９０】
送信ユニット１３０３は、予約されたデータチャネルを介して、データを送信するよう構成されている。
【００９１】
送信応答ユニット１３０４は、現在のノードが宛先ノードである場合、データ送信が完了した後に、データ送信に利用されていたデータチャネルを用いて、ソースノードにデータ送信成功応答信号を送信する。
【００９２】
ここで、現在のノードが宛先ノードである場合、スイッチングユニット１３０２は、送信応答ユニット１３０４がデータ送信成功応答信号を送信した後に、データチャネルから制御チャネルにスイッチし、かつ、現在のノードがソースノードである場合、送信応答ユニット１３０４により送られたデータ送信成功応答信号を受信した後に、データチャネルから制御チャネルにスイッチする。
【００９３】
上述のように、第５の実施形態に基づくワイヤレス通信ネットワークに利用されたノードは、修正されたＭＲＴＳ／ＭＣＴＳフレームに基づき、ノード間のデータチャネルを予約する。これによって、既存のプロトコルの簡単な修正によって、マルチチャネル通信を効率的にサポートすることができる。そして、制御情報のオーバーヘッドを小さくし、有用なオペレーションが確保できる。これと同時に、システムの拡張性及び通信パフォーマンスを確保する。
【００９４】
更に、一実施形態において、スイッチングユニット１３０２は、送信可信号の送信後又は送信可信号の受信後において、予め定められたガード期間の間に予約されたデータチャネルにスイッチするために利用することができる。
【００９５】
更に、一実施形態において、第１の指示情報は、優先度順の利用可能なデータチャネルの識別、又は、利用可能なデータチャネルの識別と共にそれぞれの優先度インデクス値を含んでもよい。
【００９６】
更に、一実施形態において、宛先ノードの利用可能なデータチャネルに関する情報は、宛先ノードの利用可能なデータチャネルの識別及びそれぞれの優先度インデックス値を含んでもよい。
【００９７】
更に、一実施形態において、予約ユニット１３０１は、ノードのデータチャネル品質及びノードの近隣のノードのデータチャネル品質に基づき、ノードの利用可能なデータチャネルに関する情報をアップデートするアップデート部を含む。
【００９８】
更に、一実施形態において、現在のノードがソースノードとして動作している場合、予約ユニット１３０１は、制御チャネルを介して、プリアンブルキューを送信するために利用され、プリアンブルキューは、ソースノードによって予約されたデータチャネルを示す情報、及び宛先ノードを示す情報を含む。更に、現在のノードがソースノードとして動作している場合、スイッチングユニット１３０２は、予約ユニット１３０１がプリアンブルキューを送信した後に、予め定められたガード期間の間に制御チャネルから予約されたデータチャネルにスイッチする。そして、現在のノードが宛先ノードとして動作している場合、スイッチングユニットは、ソースノードの予約ユニット１３０１から送られたプリアンブルキューを受信した後に、予め定められたガード期間の間に、制御チャネルから予約されたデータチャネルにスイッチする。
【００９９】
上述のように、実施形態に従ったワイヤレス通信ネットワークに用いられるノードは、修正されたプリアンブルキューに基づいて、ノード間のデータチャネルを予約する。これによって、既存のプリアンブルキューの簡単な修正によって、マルチチャネル通信を効果的にサポートし、制御情報のオーバーヘッドを少なくし、かつ、好適なオペレーションを導く、そして、同時に、システムの拡張性及び通信パフォーマンスを確保する。
【０１００】
以上、本発明に従ったワイヤレス通信ネットワークに用いられる通信方法の動作プロセスを記述した。この記述によって、図１２及び図１３に示されたワイヤレス通信ネットワークに用いられるノードの上述の様々なコンポーネントの機能をどのように実現するかが明確となった。したがって、簡潔にするために、上述の様々なコンポーネントの機能をどのように実現するかに関して更に詳細には説明しない。
【０１０１】
加えて、実施形態に従ったインデクスライブラリを構成するデバイスについて、図１２及び図１３の記載を参照しながら説明したが、当業者は、図１２及び図１３に記載した図は単なる例示であり、本発明の技術的範囲を制限するものではない点を理解すべきである。当業者は、現実のニーズに従って、図１２及び図１３に記載された図を変更し又は修正してもよい。
【０１０２】
本発明の実施形態に従って、本発明のワイヤレス通信ネットワークに用いられるノードを含むワイヤレス通信ネットワークが更に提供された。
【０１０３】
本発明及び本発明の好適性を詳細に記載したが、請求項に定義された発明の精神及び技術的範囲を超えないように、様々な変更、取り替え、置換がなされてもよい。
【０１０４】
少なくとも、本明細書において、相対的な語、例えば、第１の、第２の、等の語は、一方のエンティティやオペレーションを、他方のエンティティやオペレーションと単に区別するために用いられているものである。すなわち、これらのエンティティやオペレーションの間に実際的な関係や順序を要求するものではない。更に、「含む」「有する」あるいはこれらに類する語は、非排他的な包含を意図している。したがって、一連の要素を含んでいるプロセス、方法、物品、又はデバイスは、これらの要素ばかりでなく、明示的にリストされていない他の要素、プロセス、方法、物品、又はデバイスに内在する要素を含むものである。制限を付することなく、「一つの．．．を含む」とうい表現により定義された要素は、プロセス、方法、物品、又はデバイスの前記要素と同じ他の要素を排除するものではない。
【０１０５】
添付の図を参照しながら、本発明を詳細に説明したが、上述の実施形態は、単に例示的に用いられたものであって、本発明を限定するためのものではない点に留意すべきである。当業者は、本発明の精神及び技術的範囲を逸脱することなく様々な修正及び変更を行ってもよい。したがって、本発明の技術的範囲は、単に請求項及びその均等物によって定義される。
【０１０６】
以上の実施形態に関し、更に以下の付記を開示する。
（付記１）
ワイヤレス通信ネットワークで用いられる通信方法であって、前記ワイヤレス通信ネットワークは、複数のノードを含み、前記複数のノードは、制御チャネル及び複数のデータチャネルを介して相互に通信を行い、当該通信方法は、
複数のノードの中のソースノードが、前記制御チャネルを介して前記複数のノードの中の宛先ノードにデータを送信するために用いられるデータチャネルを予約する段階と；
前記ソースノード及び前記宛先ノードが、前記予約されたデータチャネルにスイッチする段階と；
前記ソースノードが、前記予約されたデータチャネルを介して前記データを前記宛先ノードに送信する段階と；
前記データが前記宛先ノードに完全に送信された後に、前記宛先ノードが、前記予約されたデータチャネルを介して前記ソースノードにデータ送信成功応答信号を送信し、その後、前記宛先ノード及び前記ソースノードの両者が、前記制御チャネルにスイッチする段階と；
を有する通信方法。
（付記２）
前記予約する段階は、
前記ソースノードが、前記ソースノードの利用可能なデータチャネルを示すための第１の指示情報及び宛先ノードを示す情報を含む送信要求信号を前記宛先ノードに送る段階と；
前記宛先ノードが、送信要求信号を受信し、前記第１の指示情報及び前記宛先ノードに保持された前記宛先ノードが利用可能なデータチャネルに関連する情報に基づき、前記予約されたデータチャネルを決定し、かつ、前記予約されたデータチャネル及び前記ソースノードを示す情報のための第２の指示情報を含む送信可信号を前記ソースノードに送る段階と；
を含む付記１記載の通信方法。
（付記３）
前記スイッチする段階は、前記宛先ノードが、送信可信号を送信した後で、予め定められたガード期間の間に、前記予約されたデータチャネルにスイッチし、かつ、前記ソースノードが、前記送信可信号を受信した後で、予め定められたガード期間の間に、前記予約されたデータチャネルにスイッチする段階；を有する付記２記載の通信方法。
（付記４）
前記第１の指示情報は、
前記利用可能なデータチャネルの優先度順の識別；又は
前記利用可能なデータチャネル及びそれぞれの優先度インデックス値の識別；
を含む付記２記載の通信方法。
（付記５）
前記宛先ノードの前記利用可能なデータチャネルに関する情報は、
前記宛先ノードの前記利用可能なデータチャネルの識別及びそれぞれの優先度インデックス値、
を含む、付記２記載の通信方法。
（付記６）
前記宛先ノードのデータチャネル品質及び前記宛先ノードの近隣ノードのデータチャネル品質に基づき、前記宛先ノードの利用可能なデータチャネルに関する前記情報をアップデートする段階、
を更に有する、付記２記載の通信方法。
（付記７）
前記予約する段階は、
前記ソースノードが、前記ソースノードの予約されたデータチャネルを示す情報及び前記宛先ノードを示す情報を含む、宛先ノードに対するプリアンブルキューを、前記制御チャネルを介して送信する段階、
を有する、付記１記載の通信方法。
（付記８）
前記スイッチする段階は、
前記ソースノードが、前記プリアンブルキューを送信した後の、予め定められたガード期間の間に前記制御チャネルから前記予約されたデータチャネルにスイッチする段階と、前記宛先ノードが、前記プリアンブルキューを受信した後に、予め定められたガード期間の間に前記制御チャネルから前記予約されたデータチャネルにスイッチする段階と、
を有する、付記７記載の通信方法。
（付記９）
ワイヤレス通信ネットワークに用いられるノードであって、前記ワイヤレス通信ネットワークは、複数のピアノードを含み、前記複数のピアノードは、制御チャネル及び複数のデータチャネルを介して通信し、
当該ノードは、
データを送信するために用いられるデータチャネルを、前記制御チャネルを介して予約するための予約ユニットと；
前記予約されたデータチャネルにスイッチするためのスイッチングユニットと；
前記予約されたデータチャネルを介してデータを送信するための送信ユニットと；
現在のノードが宛先ノードとして動作している場合、前記データが完全に送信された後にデータ送信成功応答信号を送信するための送信応答ユニットと；
を有し、
前記スイッチングユニットは、前記現在のノードが宛先ノードとして機能している場合、前記送信応答ユニットが前記データ送信成功応答信号を送信した後に、前記制御チャネルにスイッチし、前記現在のノードがソースノードとして動作している場合、宛先ノードの送信応答ユニットから前記データ送信成功応答信号を受信した後に、前記制御チャネルにスイッチする、
ノード。
（付記１０）
前記予約ユニットは、
前記現在のノードがソースノードとして動作している場合、宛先ノードに送信要求信号を送信するための要求送信部であって、前記送信要求信号は、ソースノードの利用可能なデータチャネルを示すための第１の指示情報及び前記宛先ノードを示す情報を含む、要求送信部と；
前記現在のノードが宛先ノードとして機能している場合、ソースノードの要求送信部から送られた送信要求信号を受信し、前記ソースノードの第１の指示情報及び前記宛先ノードに保持された前記宛先ノードの利用可能なデータチャネルの情報に基づいて、前記予約されたデータチャネルを決定し、かつ、前記ソースノードに送信可信号を送信するための要求受信部であって、前記送信可信号は、前記予約されたデータチャネルを示すための第２の指示情報及び前記ソースノードを示す情報を含む、要求受信部と；
前記現在のノードがソースノードとして機能している場合、宛先ノードの前記要求受信部によって送られた送信可信号を受信するための予約結果受信部と；
を含む、付記９記載のノード。
（付記１１）
前記スイッチングユニットは、送信可信号を送信した後に、又は、前記送信可信号を受信した後に、予め定められたガード期間の間に、前記予約されたデータチャネルにスイッチする、
付記１０記載のノード。
（付記１２）
前記第１の指示情報は、
優先度順の前記利用可能なデータチャネルの識別；又は、
前記利用可能なデータチャネルの識別及びそれぞれの優先度インデックス値；
を有する、付記１０記載のノード。
（付記１３）
前記宛先ノードの利用可能なデータチャネルに関する情報は、前記宛先ノードの利用可能なデータチャネルの識別、及びそれぞれの優先度インデックス値を含む、付記１０記載のノード。
（付記１４）
前記予約ユニットは、前記現在のノードのデータチャネル品質、及び前記現在のノードの近隣のノードのデータチャネル品質に基づき、前記現在のノードの利用可能なデータチャネルに関する情報をアップデートするためのアップデート部を含む、付記１０記載のノード。
（付記１５）
前記現在のノードがソースノードとして動作している場合、前記予約ユニットは、前記制御チャネルを介して宛先ノードにプリアンブルキューを送信し、前記プリアングルキューは、前記ソースノードの予約されたデータチャネルを示す情報、及び前記宛先ノードを示す情報を含む、付記９記載のノード。
（付記１６）
前記現在のノードがソースノードとして動作している場合、前記スイッチングユニットは、前記予約ユニットが前記プリアンブルキューを送信した後に、予め定められたガード期間の間に、前記制御チャネルから前記予約されたデータチャネルにスイッチし、前記現在のノードが宛先ノードとして動作している場合、前記スイッチングノードは、前記ソースノードの予約ユニットから前記プリアンブルキューを受信した後に、前記予め定められたガード期間の間に、前記制御チャネルから前記予約されたデータチャネルにスイッチする、
付記１５記載のノード。
【符号の説明】
【０１０７】
１２０１  予約ユニット
１２０２  スイッチングユニット
１２０３  送信ユニット
１２０４  送信応答ユニット
【図１】
2012095273.tif 000003
【図２】
2012095273.tif 000004
【図３】
2012095273.tif 000005
【図４】
2012095273.tif 000006
【図５】
2012095273.tif 000007
【図６】
2012095273.tif 000008
【図７】
2012095273.tif 000009
【図８】
2012095273.tif 000010
【図９】
2012095273.tif 000011
【図１０】
2012095273.tif 000012
【図１１】
2012095273.tif 000013
【図１２】
2012095273.tif 000014
【図１３】
2012095273.tif 000015
【外国語明細書】
2012095273000001.pdf